(57)【要約】【課題】  記録モード中の再生画チェック機能を安定したものとするとともに、撮像装置の小型化が妨げられないようにする。【解決手段】  画像データを記録メディア６に記録する記録機構、及び、記録メディア６に記録された画像データを再生する再生機構を備えた撮像装置であって、記録モード中の再生画チェック時に、ズームレンズ１の露出、オートフォーカス、防振、ズーミングのうち少なくともいずれか１つの動作を停止する。【選択図】  図１
2006115018.tif 000002
【特許請求の範囲】
【請求項１】
画像データを記録メディアに記録する記録機構、及び、記録メディアに記録された画像データを再生する再生機構を備えた撮像装置であって、
記録モード中の再生画チェック時に、前記記録機構の動作を制限する制限手段を備えたことを特徴とする撮像装置。
【請求項２】
前記記録機構は、レンズ、前記レンズを介して結像する光学像を電気信号に変換する撮像素子、前記レンズ及び前記撮像素子の制御を行うとともに前記撮像素子から得られる信号の処理を行う処理手段を含むことを特徴とする請求項１に記載の撮像装置。
【請求項３】
前記制限手段は、記録モード中の再生画チェックの開始操作があった時、露出、オートフォーカス、防振、ズーミングのうち少なくともいずれか１つの動作を停止することを特徴とする請求項１又は２に記載の撮像装置。
【請求項４】
前記制限手段により露出、オートフォーカス、防振、ズーミングのうち少なくともいずれか１つの動作を停止する場合に、各動作の停止前の状態を表わす情報を記録媒体に記録する手段を備えたことを特徴とする請求項３に記載の撮像装置。
【請求項５】
記録モード中の再生画チェックの終了操作があった時、前記記録媒体に記録された情報に従って、各動作を停止前の状態に復帰させる手段を備えたことを特徴とする請求項４に記載の撮像装置。
【請求項６】
前記制限手段は、記録モード中の再生画チェックの開始操作があった時、前記レンズを駆動するクロック周波数を変更することを特徴とする請求項２に記載の撮像装置。
【請求項７】
画像データを記録メディアに記録する記録機構、及び、記録メディアに記録された画像データを再生する再生機構を備えた撮像装置による記録モード中の再生画チェック方法であって、
記録モード中の再生画チェック時に、前記記録機構の動作を制限する手順を有することを特徴とする記録モード中の再生画チェック方法。
【請求項８】
画像データを記録メディアに記録する記録機構、及び、記録メディアに記録された画像データを再生する再生機構を備えた撮像装置において記録モード中の再生画チェックを可能にするコンピュータプログラムであって、
記録モード中の再生画チェック時に、前記記録機構の動作を制限する処理をコンピュータに実行させることを特徴とするコンピュータプログラム。
【発明の詳細な説明】
【技術分野】
【０００１】
本発明は、画像データを記録メディアに記録する記録機構、及び、記録メディアに記録された画像データを再生する再生機構を備えた撮像装置、その撮像装置による記録モード中の再生画チェック方法、及びコンピュータプログラムに関する。
【背景技術】
【０００２】
画像データを記録メディアに記録する記録機構、及び、記録メディアに記録された画像データを再生する再生機構を備えたビデオカメラにおいて、記録モード中の再生画チェック機能を有するものが存在する。記録モード中の再生画チェック機能とは、記録モードでありながら、テープ等の記録メディアに記録保存された画像データを再生して表示部に表示し、例えば次に録画開始する位置を変更することのできる機能である。
【０００３】
記録モード中の再生画チェック機能について図５を参照して説明すると、記録モード中に記録を一時停止状態にした後（ステップＳ５０１）、再生画チェック動作を開始し（ステップＳ５０２）、再生画チェックを行った後、再生画チェック動作を終了すると（ステップＳ５０３）、記録の一時停止状態に戻る（ステップＳ５０４）。ステップＳ５０１〜Ｓ５０２の間では、記録機構ではレンズ動作が可能であり、再生機構は停止し、表示部にはカメラ画像（レンズより取り込まれた画像）が表示される。ステップＳ５０２〜Ｓ５０３の間では、記録機構ではレンズ動作が可能であり、再生機構は再生動作を行い、表示部には再生画像が表示される。ステップＳ５０３〜Ｓ５０４の間では、ステップＳ５０１〜Ｓ５０２の間と同様に、記録機構ではレンズ動作が可能であり、再生機構は停止し、表示部にはカメラ画像が表示される。
【０００４】
しかしながら、記録モード中の再生画チェック時には、記録機構及び再生機構の両方の回路が動作するため、特に外部から影響を受けやすい再生機構の動作に影響を与えてしまうおそれがある。
【０００５】
これまでは、図６に示すように機器内に空間スペースが存在していたので、互いの動作に干渉のない距離を保つように記録機構６０１及び再生機構６０２を配置することで、或いは、記録機構６０１及び再生機構６０２間にシールドを配設することで、各機構６０１、６０２の互いの動作に干渉のないようにしていた。
【０００６】
一方、不要な機能を停止する機器として、電力消費の低減するためにモード設定時に使用していない機構を停止する機器もある。例えば、特許文献１に開示されたカメラ一体型ＶＴＲの省エネ型記録装置では、省エネモードを設定し、液晶パネルの明るさ、記録一時停止時のドラムの回転動作、ズーミング操作時のズーム速度、ＶＴＲモードの機能を制限する機能を持つ。
【０００７】
【特許文献１】特開２００１−２７５０２７号公報
【発明の開示】
【発明が解決しようとする課題】
【０００８】
しかしながら、撮像装置の小型化が進む中では、図７に示すように機器内の空間スペースは狭くなり、記録機構６０１と再生機構６０２とを一定距離以上離すことが困難となってきている。また、記録機構６０１及び再生機構６０２間にシールドを配設する場合も、結局はシールドを配設するスペースが必要となり根本的な解決にはならない上、シールドを設ける分だけコストアップしてしまう。
【０００９】
本発明は上記のような点に鑑みてなされたものであり、記録モード中の再生画チェック機能を安定したものとするとともに、撮像装置の小型化が妨げられないようにすることを目的とする。
【課題を解決するための手段】
【００１０】
本発明の撮像装置は、画像データを記録メディアに記録する記録機構、及び、記録メディアに記録された画像データを再生する再生機構を備えた撮像装置であって、記録モード中の再生画チェック時に、前記記録機構の動作を制限する制限手段を備えた点に特徴を有する。
本発明の撮像装置による記録モード中の再生画チェック方法は、画像データを記録メディアに記録する記録機構、及び、記録メディアに記録された画像データを再生する再生機構を備えた撮像装置による記録モード中の再生画チェック方法であって、記録モード中の再生画チェック時に、前記記録機構の動作を制限する手順を有する点に特徴を有する。
本発明のコンピュータプログラムは、画像データを記録メディアに記録する記録機構、及び、記録メディアに記録された画像データを再生する再生機構を備えた撮像装置において記録モード中の再生画チェックを可能にするコンピュータプログラムであって、記録モード中の再生画チェック時に、前記記録機構の動作を制限する処理をコンピュータに実行させる点に特徴を有する。
【発明の効果】
【００１１】
本発明によれば、記録モード中の再生画チェック時に、記録機構の動作を制限するようにしたので、記録機構と再生機構とを一定距離以上離したり、記録機構と再生機構との間にシールドを配設したりすることなく、再生機構に影響を与えるのを防ぐことができ、記録モード中の再生画チェック機能を安定したものとするとともに、撮像装置の小型化を図ることができる。
【発明を実施するための最良の形態】
【００１２】
（第１の実施形態）
以下、添付図面を参照して、本発明の好適な実施形態について説明する。図１は本実施形態のデジタルビデオカメラの構成を示す図である。１はレンズユニットであり、レンズ１ａ、レンズ１ａを駆動するためのモータ等からなるレンズ駆動手段１ｂ、レンズ１ａを介して結像する光学像を電気信号に変換する撮像素子であるＣＣＤ（電荷結合素子）２を含む。
【００１３】
３は本発明でいう処理手段に相当するカメラ処理部であり、レンズ１ａやＣＣＤ２等の制御を行うとともにＣＣＤ２から得られる信号の処理を行う。４は信号処理部であり、映像信号の入出力処理や記録制御等を行う。５は記録媒体である。６はテープ等の記録メディアである。７は液晶ディスプレイ等からなる表示部である。
【００１４】
８はデジタルビデオカメラ全体を制御するマイクロコンピュータからなる制御部であり、レンズユニット１の動作（露出、オートフォーカス、防振、ズーミング等）やカメラ処理部３及び信号処理部４の動作を制御する手段として機能する。
【００１５】
９は再生画チェック操作部であり、例えばキーにより構成され、そのキーの押下操作によって記録モード中の再生画チェックの開始や終了を指示するものである。
【００１６】
本実施形態のデジタルビデオカメラにおいては、レンズ１ａ、レンズ駆動手段１ｂ、ＣＣＤ２、カメラ処理部３、信号処理部４、記録メディア６、表示部７等により記録機構が構成され、また、信号処理部４、記録メディア６、表示部７等により再生機構が構成される。
【００１７】
まず、記録モードにおける動作について説明する。図１の実線矢印が記録モード中の信号の流れである。レンズ１ａを介して結像する光学像がＣＣＤ２にて電気信号に変換され、その電気信号がカメラ処理部３及び信号処理部４で処理された後、表示部７に画像が表示されたり、画像データとして記録メディア６に記録保存されたりする。
【００１８】
次に、再生モードにおける動作について説明する。図１の点線矢印が再生モード中の信号の流れである。記録メディア６に記録保存された画像データが読み出され、信号処理部４で処理された後、表示部７に画像が表示される。
【００１９】
ここで、本実施形態のデジタルビデオカメラは、記録モード中の再生画チェック機能を有する。記録モード中の再生画チェックとは、図５で説明したように、記録モードでありながら、記録メディア６に記録保存された画像データを再生して表示部に表示することのできる機能である。すなわち、記録モードでありながら、図１のＡ部分において信号の流れが再生モード中の流れ（点線矢印）と同じになり、その他の信号の流れは記録モード中の流れ（実線矢印）のままとなる。
【００２０】
以下、図２のフローチャートを参照して、記録モード中の再生画チェック時の処理動作について説明する。記録モード中での記録一時停止状態において、制御部８は、再生画チェック操作部９（キー）が押下されたか否かの判定を行う（ステップＳ２０１）。
【００２１】
ステップＳ２０１において再生画チェック操作部９（キー）が押下されていると判定した場合、記録機構の現在の状態を示す情報である露出、フォーカス、防振、ズーミング等のカメラ情報を記録媒体５に保存し（ステップＳ２０２）、その後にレンズユニット１の露出、フォーカス、防振、ズーミング等の動作を停止する（ステップＳ２０３）。
【００２２】
この状態で再生画チェック機能を実行し（ステップＳ２０４）、表示部７に表示する画像を、レンズ１ａより取り込まれた画像から、記録メディア６から読み出した再生画像に切替える（図１のＡ部分での流れが実線矢印から点線矢印に変わる）。
【００２３】
再生画チェック機能が実行されている間に、再生画チェック操作部９（キー）の押下が解除されたことを検出すると（ステップＳ２０５）、ステップＳ２０２において保存したカメラ情報を取得し、レンズユニット１の露出、フォーカス、防振、ズーミング等の動作を停止前の状態へ復帰させた上で（ステップＳ２０６）、記録モードの記録一時停止状態に戻る。このとき、表示部７に表示する画像を、記録メディア６から読み出した再生画像から、レンズ１ａより取り込まれた画像に切替える（図１のＡ部分での流れが点線矢印から実線矢印に変わる）。
【００２４】
なお、ステップＳ２０１において再生画チェック操作部９（キー）が押下されていないと判定した場合は、記録一時停止状態を継続する。
【００２５】
以上述べたように、記録モード中の再生画チェック時に、記録機構のレンズユニット１の動作（露出、オートフォーカス、防振、ズーミング等）を停止するようにしたので、記録機構と再生機構とを一定距離以上離したり、記録機構と再生機構との間にシールドを配設したりすることなく、レンズユニット１に含まれるモータのノイズ等が再生機構（ドラムのヘッド等）に影響を与えるのを防ぐことができ、記録モード中の再生画チェック機能を安定したものとするとともに、デジタルビデオカメラの小型化を図ることができる。
【００２６】
（第２の実施形態）
図３は本実施形態のデジタルビデオカメラの構成を示す図である。なお、図１に示した構成要素には同一の符号を付すとともに、その詳細な説明は省略する。１０はレンズユニット１に含まれるクロック周波数信号発生部であり、レンズ１ａを駆動するクロック周波数信号として第１のクロック周波数信号及び第２のクロック周波数信号を発生する。１１はレンズユニット１に含まれる切替部であり、制御部８による制御の下で動作して第１のクロック周波数信号及び第２のクロック周波数信号を切替える。
【００２７】
以下、図４のフローチャートを参照して、記録モード中の再生画チェック時の処理動作について説明する。なお、図２のフローチャートと同じ処理についての説明は省略する。
【００２８】
ステップＳ２０１において再生画チェック操作部９（キー）が押下されていると判定した場合、それまで第１のクロック周波数信号をレンズ１ａ側に送出していた切替部１１が切替わって、第２のクロック周波数信号をレンズ１ａ側に送出する（ステップＳ４０１）。ここで、第２のクロック周波数信号は、第１のクロック周波数信号と比較して周波数が低いものであり、再生機構（ドラムのヘッド等）に影響のない周波数域のものである。
【００２９】
この状態で再生画チェック機能を実行し（ステップＳ２０４）、表示部７に表示する画像を、レンズ１ａより取り込まれた画像から、記録メディア６から読み出した再生画像に切替える（図１のＡ部分での流れが実線矢印から点線矢印に変わる）。
【００３０】
再生画チェック機能が実行されている間に、再生画チェック操作部９（キー）の押下が解除されたことを検出すると（ステップＳ２０５）、レンズ１ａを駆動するクロック周波数信号を元に戻す、すなわち第２のクロック周波数信号から第１のクロック周波数信号に変更した上で（ステップＳ４０２）、記録モードの記録一時停止状態に戻る。このとき、表示部７に表示する画像を、記録メディア６から読み出した再生画像から、レンズ１ａより取り込まれた画像に切替える（図１のＡ部分での流れが点線矢印から実線矢印に変わる）。
【００３１】
以上述べたように、記録モード中の再生画チェック時に、レンズ１ａを駆動するクロック周波数信号を再生機構（ドラムのヘッド等）に影響のない周波数域のものに変更するようにしたので、記録機構と再生機構とを一定距離以上離したり、記録機構と再生機構との間にシールドを配設したりすることなく、レンズユニット１に含まれるモータのノイズ等が再生機構（ドラムのヘッド等）に影響を与えるのを防ぐことができ、記録モード中の再生画チェック機能を安定したものとするとともに、デジタルビデオカメラの小型化を図ることができる。
【００３２】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００３３】
この場合、記憶媒体から読み出されたプログラムコード自体が上述した実施形態の機能を実現することになり、プログラムコード自体及びそのプログラムコードを記憶した記憶媒体は本発明を構成することになる。
【００３４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３５】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００３６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００３７】
【図１】第１の実施形態のデジタルビデオカメラの構成を示す図である。
【図２】記録モード中の再生画チェック時の処理動作について説明するためのフローチャートである。
【図３】第２の実施形態のデジタルビデオカメラの構成を示す図である。
【図４】記録モード中の再生画チェック時の処理動作について説明するためのフローチャートである。
【図５】記録モード中の再生画チェック機能について説明するためのフローチャートである。
【図６】撮像装置の概略構成を示す図である。
【図７】図６に示す撮像装置より小型の撮像装置の概略構成を示す図である。
【符号の説明】
【００３８】
１    レンズユニット
１ａ  レンズ
１ｂ  レンズ駆動手段
２    ＣＣＤ
３    カメラ処理部
４    信号処理部
５    記録媒体
６    記録メディア
７    表示部
８    制御部
９    再生画チェック操作部
１０  クロック周波数信号発生部
１１  切替部
【図１】
2006115018.tif 000003
【図２】
2006115018.tif 000004
【図３】
2006115018.tif 000005
【図４】
2006115018.tif 000006
【図５】
2006115018.tif 000007
【図６】
2006115018.tif 000008
【図７】
2006115018.tif 000009